Podtech/llm-jp-corpus-v4-ja_patent huggingface dataset:
(57)【要約】      （修正有）【課題】この発明は、パークゴルフのシャフト部に目盛り指標を設け、打数を表示する機能（ハーフ用）を有する、パークゴルフ用クラブに関するものである。【解決手段】（イ）構成は、パー（標準）の打数を表示するもの（Ａ）とプレー（競技者の打った）の打数を表示するもの（Ｂ）、及び指標（Ｃ）からなっている。（ロ）その細部は、パークゴルフのシャフト部にパー（標準）の打数を表示するもの（Ａ）とプレー（競技者の打った）の打数を表示するもの（Ｂ）、それぞれに等間隔の棒状の「目盛り」及び「数値等」設け、そして目盛り位置を示す、ゴム製など弾力のあるリンク状の「指標」（Ｃ）を装着したものである。（ハ）使用方法は、（Ａ）・（Ｂ）をそれぞれの打数に応じて、指標（Ｃ）を動かし、合計の打数を簡単に表示・記録・集計するものである。【選択図】  図２
2004351186.tif 000002
【特許請求の範囲】
【請求項１】
クラブのシャフト部に目盛りと指標を設け、打数を表示する機能を有するパークゴルフ用クラブ
【発明の詳細な説明】
【０００１】
【発明に属する技術分野】
この発明は、シャフト部に目盛りと指標を設け、打数を表示する機能（ハーフ用）を有するパークゴルフ用クラブに関するものである。
【０００２】
【従来の技術】
現在のスコアカードでは、記入のわずらわしさ及び集計の難しい点・間違い易い点、及びスコアカウンターでは、一般的に数字等が小さく読み難しい点など、いずれも使用しずらい面があった。
【０００３】
【発明が解決しようとする課題】
特に愛好者の多い中高齢者には、打数の計算に苦労されている人も多く「もっと簡単なものはないか、使い易いものはないか」という要望に答えるために発明されたものである。
【０００４】
【課題を解決するための手段】
その細部を説明すると、次のようになります。
（イ）  パー（標準）の打数を表示するもの（Ａ）
（イ−１）  等間隔の棒状の「目盛り」（１−１）１１本を設ける。
（イ−２）  目盛りに「０から１０」の「数値」（１−２）を付ける。
（イ−３）  数値等を補足するための「記号及び文字」（１−３）を付ける。
（ロ）  プレー（競技者の打った）の打数を表示するもの（Ｂ）
（ロ−１）  等間隔の棒状の「目盛り」（２−１）２１本を設ける。
（ロ−２）  中央の目盛りにパー（標準）の打数を示す「０」とハーフ（９ホール）の標準の打数を示す「３３」の「数値」（２−２を付ける。
（ロ−３）  中央の目盛りの片側に「１から１０」もう一方の側に「−１から−１０」の「数値」（２−２）を付ける。
（ロ−４）  数値等を補足するための「記号及び文字」（２−４）を付ける。
（ハ）  「目盛り」・「数値」・「記号及び文字」は、横型及び縦型のいずれの方法でもよい。
（ニ）  パー（標準）の打数を表示するもの（Ａ）及びプレー（競技者の打った）の打数を表示するもの（Ｂ）をシャフト部に設ける方法としては、
（ハ−１）  シールに印字して、シャフト部貼り付ける方法
（ハ−１）  直接シャフト部に印字する方法
などがある。
（ホ）  目盛りの位置を示す「指標」（Ｃ）として、ゴム製などの弾力のあるリンク状のもの（１−３）を装着する。装着方法には、弾力性を利用してグリップ部より挿入する方法などがある。
【０００５】
【発明の実施の形態】
次に実施の形態（実際の使用方法）をパーの（標準）打数を表示するもの（Ａ）及びプレー（競技者の打った）の打数を表示するもの（Ｂ）に分けて説明すると、次のようになります。
（イ）  パー（標準）の打数を表示するもの（Ａ）
（イ−１）  まず「指標」を「０」の目盛の位置にセットする。
（イ−２）  スタート（ハーフ前半・１ホールから９ホール）以降は各ホールごとに、そのホールのパー（標準）の打数の数だけプラスの方向に「指標」を動かす。
（イ−３）  「指標」が「１０」目盛りを超える場合は、「指標」を元（１以降の数）の位置に返し、一の位のみ表示する。（十の位を省略し記憶しておく）
（イ−４）  「指標の示す位置」が、スタートから各ホールまで、またはハーフを合計したパー（標準）の打数である。
（イ−５）  ハーフ後半（１０ホールから１８ホール）の要領については、前半に準ずる。
（イ−６）  ラウンドの合計は、ハーフ前・後半を合計した数である。
（ロ）  プレー（競技者の打った）の打数を表示するもの（Ｂ）
（ロ−１）  まず「指標」を中央の「０・３３」位置にセットする。
（ロ−２）  最初のホール（１番ホール等）でのパー（標準）の打数に対して、
打数がプラスの場合は、「指標」をプラスの方向へ打数と同じ目盛りの数だけ移動させる。
打数がマイナス場合は、「指標」をマイナスの方向へ打数と同じ目盛りの数だけ移動させる。
打数がプラス・マイナス「０」場合は、「指標」は移動させない。
（ロ−３）  以下のホールについては、現に「指標」の示すしている位置を基準として（ロ−２）と同じ要領を繰り返す。
（ロ−４）  「指標」が「１０」または「−１０」の目盛りを超える場合は、「指標」を元（１・−１以降の数）の位置に返し、一の位のみ表示する。（十の位を省略し記憶しておく）
（ロ−５）  「指標の示す位置」が、スタートから各ホールまでのパー（標準）の打数に対しての、プレー（競技者の打った）のプラスの打数または・マイナスの打数である。
（ロ−６）  ハーフ（前半）（１番から９番ホールまで等）の打数の合計は、ハーフのパー（標準）の打数である「３３」に最終のホール（９番ホール等）終了時点での「指標の数値」をプラスまたはマイナスした打数である。
（ロ−７）  ハーフ（後半）（１０番から１８番ホールまで等）の打数の合計は、（ロ−６）の要領に準ずる。
（ロ−８）  ラウンド（１８ホール）の合計の打数は、ハーフ前半の打数とハーフ後半の打数の合計とする。
【０００６】
【発明の効果】
効果については、次のようなものがあり、特に中高齢者等で計算が不得意な人にとって大変に助かるものである。
（イ）  「指標」を動かすだけで簡単に打数（パーを基準としての、プラス・マイナスの打数）を記録・表示・集計することができる。
（ロ）  ハーフ前・後半及びラウンドの合計の打数の計算が簡単で間違いも少なくなる。
（ハ）  クラブと一体化したものであり、スコアカード（筆記具含む）、スコアカウンター等を携行する必要がない。また使用の都度ポケット等から出し入れをするわずらわしさもなくなる。
（ニ）  軽易に使用できるものであり、特に練習ラウンド等での使用に適する。
（公式の競技会においては、公認のスコアカードが義務ずけられている）
（ホ）  パー（標準）の打数を表示するもの（Ａ）及びプレー（競技者の打った）の打数を表示するもの（Ｂ）を、併せて使用することも、またそれぞれ個別で使用することもできる。
【図面の簡単な説明】
【図１】本発明正面図
【図２】本発明斜視図（クラブシャフトに設けたもの、拡大図含む）
【符号の説明】
１は、パー（標準）の打数を表示するもの（Ａ）（横型）
１−１は、目盛り
１−２は、数値
１−３は、記号及び文字
２は、プレー（競技者の打った）の打数を表示するもの（Ｂ）（横型）
２−１は  目盛り
２−２は  数値
２−３は  記号及び文字
３は、指標（Ｃ）
【図１】
2004351186.tif 000003
【図２】
2004351186.tif 000004
(57)【要約】      （修正有）【課題】建物火災・交通機関等にて火災に遭遇し、逃げ道を煙や炎に阻まれた時、熱や有毒ガスを避けて避難口に退避することができる防災頭巾カバーを提供する。【解決手段】難燃性素材を用いた頭部が収まる袋１と、該袋の中央に設けた透明板２と、これより更に下方に取付けたファスナ３によって構成されている。【選択図】図１
2004351187.tif 000002
【特許請求の範囲】
【請求項１】
難燃性、柔軟性の素材で人の頭が入る袋を作成し、その袋の中央に透明の板を取り付け、さらにその下にファスナーを取り付けて有り、火災現場、有害ガスの環境に遭遇して逃げ場がないときにこれを頭にかぶって裾部を紐で閉め、危険現場から脱出する為の防災頭カバー
【発明の詳細な説明】
本考案は、自宅  ホテル  旅館交通機関等の場所にて火災に遭遇し逃げ場が無くなった時、また有毒ガス等を吸引の可能性が大になった時に避難を可能にする用具である。
火災に遭遇して気が付くのが遅れて逃げ場が煙に充満されて目も開けられず、一酸化炭素等の有毒ガスを吸込んで中毒死の可能性がある時、また炎にあおられて熱くて廊下等が通過不可能の時に、安全な空気を吸い込んだ後  この頭袋を頭にかぶり裾部を軽く締めれば有害ガスの吸入を防ぎ、かつ炎熱と煙から頭部と目を保護し、視界を確保して一刻を争って火炎や有毒ガスの場所を通過し、避難口へ移動することが出来る可能性を導き出す物である。
又  有毒ガス吸入の危険性がある時にもこの頭カバーをかぶり有毒ガスの吸入を防ぎ安全な場所に避難することが出来る。
頭カバーの目の部位には視界確保の為の透明窓部を設けてあり、材質はすべてに難燃性の材質にて作られ  一瞬の炎の中の突破を可能とし危険区域からの脱出時の２〜３分の間の使用のものである。
ホテル・旅館・自宅等に常備をして災害に備えると共に、軽くコンパクトに作られてあるので折りたたんでハンドバック等に常時携帯し、非常災害に備えることが出来ることを特徴とする。
【発明が属する技術分野】
Ａ生活必需品  健康娯楽
【図面の簡単な説明】
【図１】頭カバーを立体的に書いたものである。
【符号の説明】
１      袋
２      透明板窓
３      ファスナナーと引き紐
４      裾部開け閉め用紐
【図１】
2004351187.tif 000003
(57)【要約】【課題】食器に付着した油汚れを除去するために、温水を利用しているが、この温水は８０℃以上に過熱されているが、あまり高温にすると、食器が熱で破損する恐れがあるので、８０℃より高温にすることはなく、食器を殺菌する効果は不十分であり、この殺菌に対して何ら対策は取られていないのが現状である。【解決手段】洗浄ハウジング１内に複数個の食器２が配置され、洗浄ハウジング１の上部に噴射ノズル３が装着され、この噴射ノズル３に供給パイプ４を介して、供給パイプ４に接続される供給パイプ６に超音波振動子５を装着した超音波照射装置７に接続され、又、超音波照射装置７の供給パイプ６は供給パイプ８を介して洗浄水供給装置９に接続されている。【選択図】        図１
2004351141.tif 000002
【特許請求の範囲】
【請求項１】
洗浄ハウジング内に収納された被洗浄食器に向けて前記洗浄ハウジングに内に装着した洗浄ノズルに洗浄水供給装置より供給パイプを介して洗浄水を供給し、前記洗浄ノズルより洗浄水を噴射して洗浄することを特徴とする食器洗浄装置において、前記供給パイプに超音波振動子を装着した超音波照射装置を接続し、前記洗浄水に超音波を照射することを特徴とする超音波処理水を利用した食器洗浄装置。
【請求項２】
前記超音波照射装置は前記洗浄ハウジングの外側の供給パイプに接続されることを特徴とする項１記載の超音波処理水を利用した食器洗浄装置。
【請求項３】
前記超音波照射装置は前記洗浄ハウジングの内側の前記洗浄ノズルに接続される供給パイプに接続することを特徴とする項１記載の超音波処理水を利用した食器洗浄装置。
【発明の詳細な説明】
【０００１】
【発明が属する技術分野】
本発明は、食器を洗浄する洗浄水に殺菌効果を付与して洗浄するようにした超音波処理水を利用した食器洗浄装置に関するものである。
【０００２】
【従来の技術】
従来、食器洗浄機は、洗浄ハウジング内に多数の食器を洗浄水が通過し易いように設定し、洗浄ハウジングの上部又は下部に装着した洗浄ノズルから洗浄水を噴射して食器を洗浄するように構成されている。
【０００３】
【発明が解決しようとする課題】
しかしながら、この食器洗浄において、食器に付着した油汚れを除去するために、温水を利用しているが、この温水は８０℃以上に過熱されているが、あまり高温にすると、食器が熱で破損する恐れがあるので、８０℃より高温にすることはなく、食器を殺菌する効果は不十分であり、この殺菌に対して何ら対策は取られていないのが現状である。
【０００４】
【課題を解決しようとする手段】
本発明は、洗浄ハウジング内に収納された被洗浄食器に向けて前記洗浄ハウジング内に装着した洗浄ノズルに洗浄水供給装置より供給パイプを介して洗浄水を供給し、前記洗浄ノズルより洗浄水を噴射して洗浄することを特徴とする食器洗浄装置において、前記供給パイプに超音波振動子を装着した超音波照射装置を接続し、前記洗浄水に超音波を照射するものであり、又、前記超音波照射装置は前記洗浄ハウジングの外側の供給パイプに接続されるものであり、さらに、前記超音波照射装置は前記洗浄ハウジングの内側の前記洗浄ノズルに接続される供給パイプに接続するものである。
【０００５】
【発明の実施の形態】
本発明は、食器を洗浄する洗浄水を超音波照射装置の超音波照射エリアを通過させると、超音波を照射された洗浄水は酸化作用とキャビテーション作用により殺菌効果を付加することができるので、この酸化作用とキャビテーション作用により殺菌効果を付加された洗浄水は洗浄する食器を十分に殺菌することができる。
【０００６】
【実施例】
図１は本発明の実施例の超音波処理水を利用した食器洗浄装置の構成図で、洗浄ハウジング１内に複数個の食器２が配置され、洗浄ハウジング１の上部に噴射ノズル３が装着され、この噴射ノズル３に供給パイプ４を介して、供給パイプ４に接続される供給パイプ６に超音波振動子５を装着した超音波照射装置７に接続され、又、超音波照射装置７の供給パイプ６は供給パイプ８を介して洗浄水供給装置９に接続されている。
【０００７】
このように構成した本実施例の超音波処理水を利用した食器洗浄装置では、洗浄水供給装置９から供給される洗浄水は供給パイプ８を通って供給パイプ６を通過するときに、超音波振動子５から超音波を照射されることにより、この超音波によって洗浄水が酸化作用とキャビテーション作用により殺菌効果が付加されるので、この殺菌効果が付加された洗浄水は供給パイプ４を通って噴射ノズル３から食器２に噴射され、又、洗浄水を８０℃に加熱することによって、油汚れを除去することができるとともに、食器２を殺菌することができる。
【０００８】
図２は本発明の実施例の超音波処理水を利用した食器洗浄装置の構成図で、１は洗浄ハウジング、２は食器、３は噴射ノズル、４は供給パイプ、５は超音波振動子、６は供給パイプ、７は超音波照射装置、８は供給パイプ、９は洗浄水供給装置で、これらの構成は上記実施例と同じであるので、説明は省略するが、本実施例では、超音波照射装置７を洗浄ハウジング１内に装着している。
【０００９】
このように構成された本実施例においても、上記実施例と同様に効果を得ることができる。
【００１０】
【発明の効果】
以上説明したように、本発明の超音波処理水を利用した食器洗浄装置では、食器を洗浄する洗浄水を超音波照射装置の超音波照射エリアを通過させると、超音波を照射された洗浄水は酸化作用とキャビテーション作用により殺菌効果を付加することができるので、この酸化作用とキャビテーション作用により殺菌効果を付加された洗浄水は洗浄する食器を十分に殺菌することができるという利点がある。
【図面の簡単な説明】
【図１】図１は本発明の実施例の超音波処理水を利用した食器洗浄装置の構成図である。
【図２】図２は本発明の他の実施例の超音波処理水を利用した食器洗浄装置の構成図である。
【符号の説明】
１          洗浄ハウジング
２          食器
３          噴射ノズル
４          供給パイプ
５          超音波振動子
６          供給パイプ
７          超音波照射装置
８          供給パイプ
９          洗浄水供給装置
【図１】
2004351141.tif 000003
【図２】
2004351141.tif 000004
(57)【要約】【課題】バスタブ１の中の湯２を２４時間入浴できるようにするには、湯２を加熱装置５で入浴に適した温度に常時加熱するようにしているが、入浴に適した温度では、細菌や雑菌が繁殖するのに丁度良い温度であり、この細菌や雑菌を防ぐための対策はあまり取られていないのが現状である。【解決手段】１はバスタブ、２は湯、３はパイプ、４はフィルター、５は加熱装置、６は循環装置、７はパイプで、これらの構成は上記実施例と同じであるので、説明は省略するが、本実施例では、パイプ７に超音波振動子８を装着した超音波照射エリアが設けられ、超音波振動子８に発振器９から発振出力が印加されている。【選択図】        図１
2004351142.tif 000002
【特許請求の範囲】
【請求項１】
バスタブの湯を外部に導いて前記湯の中のごみ及び汚物を除去するフィルターと、該フィルターを通過した前記湯を加熱するヒータ部と、該加熱された前記湯を循環するポンプを有する循環器と、該循環器と前記バスタブを連結するパイプに装着され、発振器から発振出力が印加される超音波振動子を有する超音波照射装置とからなり、前記パイプを通過する前記湯に超音波照射装置の前記超音波振動子から超音波を照射して殺菌することを特徴とする超音波処理水を利用した２４時間風呂。
【請求項２】
前記超音波照射装置の前記超音波振動子は前記バスタブ内に挿入して、前記バスタブ内の前記湯を殺菌することを特徴とする請求項１記載の超音波処理水を利用した２４時間風呂。
【発明の詳細な説明】
【０００１】
【発明が属する技術分野】
本発明は、バスタブの湯に超音波を照射して殺菌効果を付与するようにした超音波処理水を利用した２４時間風呂に関するものである。
【０００２】
【従来の技術】
従来、２４時間風呂は、図３に示すように、バスタブ１の湯２をバスタブ１の側部に設けたパイプ３に流し、フィルター４で湯２の中のごみや汚物を除去し、加熱装置５で加熱し、ポンプを設けた循環装置６で加熱した湯２をパイプ７を介してバスタブ１に戻すようにして循環するように構成している。
【０００３】
【発明が解決しようとする課題】
しかしながら、この２４時間風呂おいて、バスタブ１の中の湯２を２４時間入浴できるようにするには、湯２を加熱装置５で入浴に適した温度に常時加熱するようにしているが、入浴に適した温度では、細菌や雑菌が繁殖するのに丁度良い温度であり、この細菌や雑菌を防ぐための対策はあまり取られていないのが現状である。
【０００４】
【課題を解決しようとする手段】
本発明は、バスタブの湯を外部に導いて前記湯の中のごみ及び汚物を除去するフィルターと、該フィルターを通過した前記湯を加熱するヒータ部と、該加熱された前記湯を循環するポンプを有する循環器と、該循環器と前記バスタブを連結するパイプに装着され、発振器から発振出力が印加される超音波振動子を有する超音波照射装置とからなり、前記パイプを通過する前記湯に超音波照射装置の前記超音波振動子から超音波を照射して殺菌するものであり、又、前記超音波照射装置の前記超音波振動子は前記バスタブ内に挿入して、前記バスタブ内の前記湯を殺菌するものである。
【０００５】
【発明の実施の形態】
本発明は、バスタブの湯を超音波照射装置の超音波振動子からの超音波照射エリアを通過させると、超音波を照射された湯は酸化作用とキャビテーション作用により殺菌効果を付加することができるので、この酸化作用とキャビテーション作用により殺菌効果を付加された湯はバスタブに循環することにより、バスタブ内の湯を十分に殺菌することができる。
【０００６】
【実施例】
図１は本発明の実施例の超音波処理水を利用した２４時間風呂の構成図で、１はバスタブ、２は湯、３はパイプ、４はフィルター、５は加熱装置、６は循環装置、７はパイプで、これらの構成は上記実施例と同じであるので、説明は省略するが、本実施例では、パイプ７に超音波振動子８を装着した超音波照射エリアが設けられ、超音波振動子８に発振器９から発振出力が印加されている。
【０００７】
このように構成した本実施例の超音波処理水を利用した２４時間風呂では、バスタブ１の湯２はフィルター４でごみや汚物が除去され、加熱装置５で加熱されて循環装置６でパイプ７に送られるが、このパイプ７に超音波振動子８を装着して、このパイプ７に超音波照射エリアを設けることにより、この超音波を照射された湯２は酸化作用とキャビテーション作用により殺菌効果が付加されるので、この殺菌効果が付加された湯２はパイプ７を通ってバスタブ１に戻されると、湯２の殺菌作用でバスタブ１内の湯２を殺菌することができ、それによって、バスタブ１の表面に付着する雑菌や細菌を殺菌することができる。
【０００８】
図２は本発明の他の実施例の超音波処理水を利用した２４時間風呂の構成図で、１はバスタブ、２は湯、３はパイプ、４はフィルター、５は加熱装置、６は循環装置、７はパイプで、これらの構成は上記実施例と同じであるので、説明は省略するが、本実施例では、超音波振動子８を直接バスタブ１の湯２内に挿入し、バスタブ１の外側に発振器９を装着している。
【０００９】
このように構成された本実施例においては、超音波振動子８から湯２に直接超音波を照射することができるので、上記実施例と同様に、湯２に酸化作用とキャビテーション作用により殺菌効果が付加されるので、バスタブ１内の湯２を殺菌することができ、それによって、バスタブ１の表面に付着する雑菌や細菌を殺菌することができる。
【００１０】
【発明の効果】
以上説明したように、本発明の超音波処理水を利用した２４時間風呂では、バスタブ内の湯を循環するときに、超音波振動子を装着した超音波照射エリアを通過させか、バスタブの湯の中に直接超音波振動子を挿入することにより、超音波を照射された湯は酸化作用とキャビテーション作用により殺菌効果を付加することができるので、この酸化作用とキャビテーション作用により殺菌効果を付加された湯はバスタブ内の湯を十分に殺菌することができ、又、バスタブの表面に付着した雑菌や細菌等によるぬめりを除去することができるという利点がある。
【図面の簡単な説明】
【図１】図１は本発明の実施例の超音波処理水を利用した２４時間風呂の構成図である。
【図２】図２は本発明の他の実施例の超音波処理水を利用した２４時間風呂の構成図である。
【図３】図３は従来の２４時間風呂の構成図である。
【符号の説明】
１          バスタブ
２          湯
３          パイプ
４          フィルター
５          加熱装置
６          循環装置
７          パイプ
８          超音波振動子
９          発振器
【図１】
2004351142.tif 000003
【図２】
2004351142.tif 000004
【図３】
2004351142.tif 000005
(57)【要約】【目的】破砕物を傾斜の上方から下方へ送りながら多数の回転刃と固定刃の間で繰り返し破砕することで、効率良く細片に破砕し、破砕粒度を小さくすることを可能にする。【構成】傾斜した破砕ケース１に同じ傾斜で配設した回転軸３に切り欠きを設けて破砕刃を形成した回転ブレード５を間隔を開けて固定し、破砕ケース１に設ける固定刃７及び間座８と噛み合うことで破砕し、破砕機が傾斜していることと破砕刃のねじり配置の働きで、破砕物が傾斜の上方から下方へ送られながら繰り返し破砕が行われる構造とした。【選択図】  図  １
2004351398.tif 000002
【特許請求の範囲】
【請求項１】
傾斜した破砕ケースに同じく傾斜して配設した回転軸に、外周に複数の切欠きを設けて刃を形成するブレードを軸方向上でカラーを挟んで間隔を開けて固定し、この回転ブレードの刃先と間隔を開けた間にに噛み合う固定刃と間座をそれぞれ破砕ケースに設けたことを特徴とする破砕機。
【請求項２】
請求項１の破砕機において、回転軸を複数にし各々の回転軸に設けた回転ブレードの刃が互いに噛み合うように配したことを特徴とする破砕機。
【発明の詳細な説明】
【０００１】
【発明の属する技術分野】
この発明は、産業廃棄物類の破砕機に関するものであり、詳しくは繰り返し破砕に依り、スクリーン等で粒度規制せずに廃棄物類を細片に効率良く破砕する低速破砕機に関するものである。
【０００２】
【従来の技術】
従来、横配列の１軸又は多軸から成る破砕機による廃棄物の細片破砕は、破砕ブレードとスクリーンの組み合わせでおこなっている。
【０００３】
この従来の破砕方式は、回転刃と噛み合うケース側固定刃間又は互いに噛み合う軸間の破砕が主となり、破砕する領域が互いの軸間又はケース側固定刃との間だけとなり完全な破砕が望めない、このため破砕ケース下部にスクリーンを設け、このスクリーンの網目を通過しない物は破砕物を対流させて再度軸間に導いて破砕している方式を用いているが、この方式は長物がスクリーンの目を通過してしまうので、細片に破砕できないと言う大きな欠点が有るうえに、スクリーンの目詰まりが起きたり摩耗や損壊をするという欠点がある。
【０００４】
【発明が解決しようとする課題】
本発明は前述の問題点を解決するもので、繰り返し破砕方式でスクリーンを設けなくても所定の細片破砕を可能にした破砕機を提供することを課題とするものである。
【０００５】
【課題を解決するための手段】
前述の課題を解決するために、本発明による破砕機は、次のような方法や手段を採用する。
【０００６】
即ち、請求項１では斜めに配設した回転軸に外周に複数の切り欠き設けて回転刃を形成した回転ブレードを軸方向上で間隔を開けて回転軸に固定し、この回転刃と噛み合う固定刃をケースに設けた構造とし、傾斜の上部から被破砕物を供給すると回転刃と固定刃との間で攪拌しながら破砕されるが、傾斜していることで破砕物は段々に低い方向へ繰り返し破砕されながら流れて細かく破砕する手段。
【０００７】
また、請求項２では回転軸を複数にすることで、互いに噛み合う軸間でも破砕するので、被破砕物の噛み込みが良くなると共に処理量を多くして細かく破砕する手段。
【０００８】
【作用】
前述の手段によると、従来の横軸式破砕機での破砕が互いの軸間を通過すると破砕作用が終わってしまい、スクリーン等で規制して大きい物の通過を規制して再破砕することで細破砕効果を得ているのに対し、請求項１の破砕機は傾斜上部から下部へ順に繰り返し破砕しながら流れることで、スクリーンを設けなくても所定の細片破砕を可能にする破砕機を提供するという課題が解決される。
【０００９】
また、請求項２では回転軸を複数にして互いの破砕ブレードを噛み合わせることで、破砕物の噛み込みが良いことと合わせて破砕量の能力増加が得られ、所定の細片破砕を可能にする破砕機を提供するという課題が解決される。
【００１０】
【実施例】
以下、本発明に係る破砕機の内、回転軸を１軸とした場合の実施例を図１〜図２に基づいて説明すると、上部に投入口１１を設けた上部ケース２と下部に排出口１２を設けた破砕機ケース１内に回転軸３を傾斜して配設し、この回転軸３には図２に示すように円周に切り欠きを設けて切断刃の機能を持たせた回転ブレード５の切り欠きを回転時に破砕物を傾斜下方へ送るねじり配置し、カラー６によって間隔を開けて固定する。
【００１１】
この回転軸３に固定した回転ブレード５は図１，２に示すように破砕ケース１の内側に設けた固定刃７及び間座８と噛み合って破砕機能を持ち、
【００１２】
次に、回転軸３は図１に示すように、破砕機ケース１を貫通し両端を軸受９により回転可能に支持され、回転軸３上端には駆動装置１０を設けてあり、回転軸３に回転を与え、設定した負荷に応じて自動的に反転するように制御され、最下部へ流れた破砕物は排出口２２から機外へ排出される。
【００１３】
又、図１に示すように、投入部には送り羽根４を設け、破砕物を速やかに下流の破砕部を送り込む働きをさせ、図２に示すように回転軸３を通して破砕ブレード５を間隔止するカラー６の外周に凹状溝刃を設け、破砕物の巻き付きを防いでいる。
【００１４】
【発明の効果】
以上のように本発明に係る破砕機は、請求項１では破砕方向を斜めにしたことで、斜め上から斜め下へ流れながら順々に繰り返し破砕してゆくことで細片破砕が効率良くできる効果がある。
【図面の簡単な説明】
【図１】本発明に係る破砕機の基本構成実施例を示す側面断面図である。
【図２】本発明に係る破砕きの基本構成実施例を示す正面断面図である。
【符号の説明】
１  破砕ケース
２  上部ケース
３  回転軸
４  送り羽根
５  破砕ブレード
６  カラー
７  固定刃
８  間座
９  軸受
１０  駆動装置
１１  投入口
１２  排出口
【図１】
2004351398.tif 000003
【図２】
2004351398.tif 000004
(57)【要約】【課題】エチレン・アクリルポリマーを用いたゴムにより、耐久性を向上させたタイヤ加硫用ブラダーの提供。【解決手段】エチレン・アクリルポリマーにカーボン、シリカ、加硫剤を配合してなるタイヤ加硫用ブラダー。【選択図】  なし【特許請求の範囲】
【請求項１】
エチレン・アクリルポリマーに、カーボン１０〜１００ＰＨＲ，加硫系配合剤を配合してなるタイヤ加硫用ブラダー
【請求項２】
エチレン・アクリルポリマーに、カーボン１０〜１００ＰＨＲ＋シリカ１０〜５０ＰＨＲ，加硫系配合剤を配合してなるタイヤ加硫用ブラダー
【請求項３】
エチレン・アクリルポリマーに、シリカ１０〜１００ＰＨＲ，加硫系配合剤を配合してなるタイヤ加硫用ブラダー
【発明の詳細な説明】
【０００１】
【発明の属する技術分野】
本発明は、タイヤ加硫用ブラダーに関し、エチレン・アクリルポリマーを用いたタイヤ加硫用ブラダーに関する。
【０００２】
【従来の技術】
タイヤ−加硫用ブラダーにはブチルゴムを用いるのが一般的であるが、ブチルの耐熱特性は耐熱ポリマー（アクリル、フッ素ポリマー等）の中では低いレベルであり耐久性に現状より向上出来ない。
ブチルゴムは品質、作業性上オイルを添加する必要がある、しかし熱履歴でオイルが蒸発してゴム硬度ＵＰして品質を低下させている。
一方耐熱性の優れているフッ素ポリマー使用例（特開２００２−１９２５２８）しかしフッ素ポリマーは高価、作業性が悪い、高温時の特性が劣り機械的の壊れる等問題があり実用的でない。
【０００３】
【発明が解決しようとしている課題】
ブチルポリマーより耐熱性の優れたポリマーにカーボン、シリカ、加硫剤を配合したゴムでタイヤ加硫用ブラダーゴムの耐久性向上を行う。
オイル添加量０又は少量配合ゴムで熱履歴による硬度ＵＰを防止する。
コスト的にもブチル配合ゴムと同等レベルの配合ゴムである事。
【０００４】
【課題を解決するための手段】
エチレン・アクリルポリマーにカーボン、シリカ、加硫剤を配合したタイヤ加硫用ブラダーゴム。
【０００５】
【発明の実施の形態】
表１の様に本発明はエチレン・アクリルポリマー（デュポン製のＶＡＭＡＣ  Ｇ）をしようした配合で検討した。
オイルの添加量が０であるが表２で示す通り硬度が５０でありブチル配合（オイル３４ＰＨＲ添加）ゴムと同じである。
ＶＡＭＡＣ  Ｇ配合ゴムとブチル配合ゴムの熱老化を比較した表３の結果で示した通りＶＡＭＡＣ  Ｇ配合ゴムの１８０℃×４６時間後の熱老化物性とブチル配合ゴムの１８０℃×１５時間後の熱老化物性がほぼ同レベルである事より本発明配合の耐熱性はブチルゴムの２倍から３倍ある。
オイルの添加量が０である為に耐熱性向上が耐久性向上となる。
【０００６】
【発明の効果】
本発明エチレン・アクリルポリマーを用いたタイヤ加硫用ブラダーゴムの耐久性はブチルポリマーを用いたブラダーゴムの２倍から３倍ある。
その理由は表３で示す通り熱老化物性が３倍である事，及びオイルを使用していない使用していないためオイル揮発による硬度ＵＰが無い事による。
又配合コストもブチルゴムと比較しても大差なく耐久性向上によるメリット大。
【図面の簡単な説明】
【図１】本発明の配合例である。本発明配合（エチレン・アクリルポリマー）とブチルポリマー配合の熱老化による硬度変化及び引っ張りテストの結果を比較する。
【図１】
2004351911.tif 000002
(57)【要約】［課題］  ルーズリーフ式用紙からなり多目的な編集構成を可能とする問題集を提供する。［解決手段］  凸部（２）と凸部（１０）と凹部（３）と彩色部（４）が設けられた複数の穴を設けた用紙（１）と複数の穴（６）があり凸部（７）と凸部（１１）と凹部（８）と彩色部（９）が設けられた用紙（５）とから構成されることを特徴とする。【選択図】  図１
2004351916.tif 000002
【特許請求の範囲】
【請求項１】
（イ）  複数の穴を設けた用紙（１）の端部に凸部（２）を設け、その用紙（１）の端部に凹部に（３）と彩色部（４）を設ける。
（ロ）  用紙（５）を二つ折りにして前記の用紙（１）と重ね合わせると前記の用紙（１）の複数の穴と重なるように複数の穴（６）を用紙（５）に設け、その用紙（５）の端部に前記の用紙（１）の凸部（２）と同じ大きさの凸部（７）と前記の用紙（１）の凹部（３）と同じ大きさの凹部（８）と前記の用紙（１）の彩色部（４）と同じ大きさの彩色部（９）を設ける。
以上の構成によりなるルーズリーフ式用紙からなる問題集。
【発明の詳細な説明】
【０００１】
［発明の属する技術分野］
この発明は、形状や彩色部によって識別可能となるルーズリーフ式用紙に問題と設問と同問題の解答解説が記された多目的な編集構成ができる問題集に関するものである。
【０００２】
［従来の技術］
従来、問題集は編集者の意図によって編集，構成，製本されたものであった。
【０００３】
［発明が解決使用とする課題］
そのために次のような問題点があった。
（イ）  使用者の意図に則して問題集を再編集，再構成することができなかった。
（ロ）  各ページが切り離しできる問題集の一部を切り離した場合、切り離し部分は元の問題集と一つにならず、使い勝手が悪く不便であった。
（ハ）  厚い問題集の携帯は不便であった。
（ニ）  解答解説が書かれている中から使用者の必要とする解答解説を見つけ出すことは大変煩わしかった。
（ホ）  問題集を再使用するとき、同じ構成なので使用者にとって新鮮さを欠き使用者の学習意欲を低下させる一因となっていた。
（ヘ）  使用者が問題集の一部分だけを使用しようと望んでも一冊の問題集を購入しなければならず、不経済であった。
本発明は、これらの問題点を解決するために発明されたものである。
【０００４】
［課題を解決するための手段］
複数の穴を設けた用紙（１）の上端部に凸部（２）を設け、その用紙（１）の穴のない方の側部に凸部（１０）を設け、そしてその用紙（１）の下端部に凹部（３）を設け、さらに穴のある方の側部に彩色部（４）を設ける。
用紙（５）を二つ折りにして前記の用紙（１）と重ね合わせると前記の用紙（１）の複数の穴と重なるような複数の穴（６）を用紙（５）に設ける。そして、その用紙（５）の上端部に前記の用紙（１）の凸部（２）と同じ大きさの凸部（７）を設け、その用紙（５）の側部に前記の用紙（１）の凸部（１０）と同じ大きさの凸部（１１）を設け、その用紙（５）の下端部に前記の用紙（１）の凹部（３）と同じ大きさの凹部（８）を設ける。さらにその用紙（５）を二つ折りにすると生じる複数の穴（６）のある方の側部に前記の用紙（１）の彩色部（４）と同じ大きさの彩色部（９）を設ける。
本発明は、以上のような構成よりなるルーズリーフ式用紙からなる問題集である。
【０００５】
［発明の実施の形態］
以下、本発明の実施の形態について説明する。
（イ）  側部に複数の穴を設けた用紙（１）の上端部に彩色された凸部（２）を設け、その用紙（１）の穴のない方の側部に彩色された凸部（１０）を設け、さらにその用紙（１）の下端部に彩色された凹部（３）と穴のある方の側部に彩色部（４）を設ける。
（ロ）  用紙（５）を二つ折りにして前記の用紙（１）と重ね合わせると前記の用紙（１）の複数の穴と重なるような複数の穴（６）を用紙（５）に設け、その用紙（５）の上端部に前記の用紙（１）の凸部（２）と同じ大きさの彩色された凸部（７）を設け、さらにその用紙（５）の側部に前記の用紙（１）の凸部（１０）と同じ大きさの彩色された凸部（１１）を設け、その用紙（５）の下端部に前記の用紙（１）の凹部（３）と同じ大きさの彩色された凹部（８）を設ける。そして用紙（５）を二つ折りにするとできる複数の穴（６）のある方の側部に前記の用紙（１）の彩色部（４）と同じ大きさの彩色部（９）を設ける。
（ハ）  一枚の用紙に問題文と設問文と同問題の解答解説と記す。
（ニ）  識別に必要な文字や記号を凸部と凹部と彩色部との付近に設ける。
本発明は以上のような構造で、これを使用するときは、凸部や凹部や彩色部によって示される項目を使用者の意図に則して整理し編集構成してから使用する。
例えば、図２は図１に示される状態から各用紙の上端部の凸部の項目とそれら各項目内での順番を示す彩色部に従って編集構成されたものである。
図２のように編集構成し使用した後、使用者が解けなかった問題が用紙Ａ，用紙Ｂ，用紙Ｃ，用紙Ｄ，用紙Ｅ，用紙Ｆにあったとする。図３はそれら用紙を側部の凸部の項目に従って編集構成したものである。このように一部を取り出して編集構成できるのは、一枚の用紙に問題文と設問文とその解答解説が記されているからである。このとき仮りに側部の凸部が学習分野を示しているとすれば、使用者の学習課題を視覚的にも客観的にもとらえることができることとなる。
図４は、図２に示されるような編集構成に従って問題を解いた後、下端部の凹部の項目に従って編集構成したものである。仮りに図４に示される各用紙の下端部の凹部付近にある・印が問題の難易度を表わすとすれば、一度解いた問題を難易度順に解きなおすことができることになる。復習は大切な学習方法の一つとされているが、ともすると復習は学習者にとって新鮮さを欠き学習意欲がわかないものである。しかし、図４の示すように編集構成を変えることによって復習への意欲を促す効果がある。
以上のように凸部や凹部や彩色部によって示される項目を使用者の意図によって多目的に編集構成をなすことができる。
また、使用にあたりとめ具によって綴じて使用することができる。
最後に、本発明を構成するにあたり凸部や凹部や彩色部の位置や数や大きさを特定するものではなく、２面を有する用紙と４面を有する用紙を同時に構成させなければならないものでもない。
【０００６】
［発明の効果］
使用目的に応じて多目的な編集構成が可能となり、視覚的にも変化があり再使用意欲を促進しることができる。さらに、解答解説を素早く容易に確認することができ、一部を携帯使用することもできる。
【図面の簡単な説明】
【図１】本発明の分解斜視図である。
【図２】本発明の他の実施例を示す分解斜視図である。
【図３】本発明の他の実施例を示す分解斜視図である。
【図４】本発明の他の実施例を示す分解斜視図である。
【符号の説明】
１  複数の穴を設けた用紙
２  凸部
３  凹部
４  彩色部
５  用紙
６  複数の穴
７  凸部
８  凹部
９  彩色部
１０  凸部
１１  凸部
１２  用紙Ａ
１３  用紙Ｂ
１４  用紙Ｃ
１５  用紙Ｄ
１６  用紙Ｅ
１７  用紙Ｆ
【図１】
2004351916.tif 000003
【図２】
2004351916.tif 000004
【図３】
2004351916.tif 000005
【図４】
2004351916.tif 000006
(57)【要約】【課題】手持ちの複数のカードの中から素早く一枚のカードを捜したい時に、容易に目的のカードを見付ける事ができるようクリップ式のカードホルダーを提供【解決手段】本発明のクリップ式のカードホルダーにカード類を挟み込み収納し、必要時には任意の指で一枚ずつあるいは一気に扇形に開くことにより収納したカードが扇の様に展開し容易に目的のカードを見付け出すことができる。【選択図】図４
2004351910.tif 000002
【特許請求の範囲】
【請求項１】
ＩＣカード、名刺、トランプカード等、カード状のものをプラスチック、金属、等の反撥力のある材料から成るコの字型をしたホルダーで挟み、且つその一部に突起を設けそれがカードの表面の一部を押さえ、そこを中心としてカードを扇状に展開して検索するカードホルダー。
【発明の詳細な説明】
【０００１】
【発明の属する技術分野】
本発明は、カードホルダーに属する。
【０００２】
【従来の技術】
従来、カードを保持するものには箱の中にカードを納めるもの、ブック形式、重ね式、袋に入れたカードが扇形に出てくるもの、等があった。
【特許文献１】
【国際特許分類第７版】
Ｆ１６Ｂ  ２１／０４
【ＦＩ】
Ｂ４２Ｆ  ５／００
【非特許文献１】
ｈｔｔｐ：／／ｗｗｗ．ｉｌｐ−ｏｎｌｉｎｅ．ｃｏｍ／ｈｔｍｌ／ｇａｍｅｓ＿ｐｌａｙ．ｈｔｍｌ
【０００３】
【発明が解決しようとする課題】
急にカードが必要になったときに、手持ちの複数枚のカードの中から目的の一枚を見つけ出すのは面倒で時間が掛かることであった。
【０００４】
【課題を解決するための手段】
カードホルダーの表板の一部に突起５を設けカードを保持すると共にカードを扇形に図４  展開する支点とする、又背板２を設けることにより支持する手に持つホルダー本体を安定させ取り扱いを容易にする。側板３ならびに底板４については日常  持ち歩き、保持ならびに展開されたカードをホルダーに戻す際のストッパーになる。
【０００５】
【発明の実施の形態】
表板１には切れ込み６を入れその一部に突起５を設ける。背板２は収容するカードと同じ大きさにし、横板３は表板の延長線上に裏板まで続き、底板は扇形展開時にカードの端が底板４に触らないようにカットする。
【０００６】
【発明の効果】
多数のカードを持たなくてはならなくなってきた今日、機能的な使い易いカードケースが望まれている。本発明は収納したカードを検索するとき、任意の指で順次カードを送り出す動作によりカード同士の摩擦と相俟って、順次重ねられてある２枚目以降のカードが扇状に展開する。本発明はトランプ奇術のファンカードを見るような楽しさもある、目的のカードが見つかったらそのカードを１枚だけ上方向へ引き出すだけで使用でき、使用後仕舞うときも任意の場所へ差し込めば良い。
【図面の簡単な説明】
【図１】本発明の正面図である。
【図２】本発明の側面図である。
【図３】本発明の底面図である。
【図４】本発明のカードを展開させた状態を示す正面図である。
【符号の説明】
１  表板
２  背板
３  横板
４  底板
５  突起
６  切れ込み
【図１】
2004351910.tif 000003
【図２】
2004351910.tif 000004
【図３】
2004351910.tif 000005
【図４】
2004351910.tif 000006
(57)【要約】【課題】従来の技術ではエマージェンシー機能を有する無線機はあったが、警報音と緊急時の音声通話を用途に応じて選択し、機能の組み合わせを生かしたシステムにはなっていない。【解決手段】上記の課題を解決するため、本発明の携帯無線機は、スイッチなどの簡単な操作により、（１）自局のみ緊報音を鳴らす機能、（２）自局には警報音を鳴らさず、相手局に警報音を鳴らす機能、（３）自局に警報音を鳴らし、相手局にも警報音を鳴らす機能の３機能を付加し、用途に応じてそれぞれの機能を組み合わせることで、運用を安全に敏速にすることが可能となる。【選択図】  図１
2004274130.tif 000002
【特許請求の範囲】
【請求項１】
事故及び緊急を要する時に、緊急用スイッチを押し携帯無線機から警報音を出力することで、周りに緊急及び事故を知らせる。また、緊急用スイッチが押されると同時に緊急情報データを送信することで同一システムのすべての無線機に事故及び緊急を知らせることを特徴とする無線機。
【請求項２】
請求項１における携帯無線機は、通常の音声通話の他に、緊急時の通話の機能を持ち、緊急の用途に応じてデータを送信し、スピーカ制御も行えるようにすることを特徴とする。
【発明の詳細な説明】
【０００１】
【発明の属する技術分野】
本発明はエマージェンシー（緊急）機能のデータを送受信するために使用する携帯無線機に関するものである。
【０００２】
【従来の技術】
従来の技術ではエマージェンシー機能を有する無線機はあったが、警報音と緊急時の音声通話を用途に応じて選択し、機能の組み合わせを生かしたシステムにはなっていない。
【０００３】
【発明が解決しようとする課題】
本発明では、スイッチなどの簡単な操作で用途に応じた機能を付加し、無線機の容易な設定で多くの要求を満足させる。また、緊急時の音声通話についても充実させることを行う。
【０００４】
【課題を解決するための手段】
本発明は、警報音と緊急時の音声通話を用途に応じて選択し、機能の組み合わせを生かしたシステムを実現できるようにしたものである。
【０００５】
【発明の実施の形態】
図１、２、３は、本発明であるエマージェンシー機能の実用例を示す動作フロー図である。
（機能１：自局のみ緊報音を鳴らす機能）
本発明の機能１における実用動作フローを図１により説明する。
【０００６】
事故及び緊急時、緊急用スイッチを押すことで、警報音のボリュームを最大にし鳴らす。音を最大にすることで、周りに緊急事態が発生したことを知らせる。警報音は再度、緊急用スイッチが押されない限り、鳴り続ける。
【０００７】
事故の情報や、助けを求める等の音声送信も可能となる。プレスが押されると警報音を停止し、緊急音声データを送信する。相手局は緊急音声データが正常に受信された場合、“ＨＥＬＰ”および相手局番号が表示され、無条件に音声を開く。
【０００８】
発呼局はプレスを離すと、停止していた警報音が再度鳴り始める。
（機能２：自局には警報音を鳴らさず、相手局に警報音を鳴らす機能）
本発明の機能２における実用動作フローを図２により説明する。
【０００９】
緊急事態発生時、自分の身の安全を確保するため、周りの人には知らせず、相手局に緊急を知らせる場合に使用する。この機能は緊急事態発生時、緊急用スイッチを押すことで警報音は鳴らさずに、警報音要求データを送信する。相手局は警報音要求データが正常に受信された場合、“ＨＥＬＰ”および相手局番号が表示され、警報音のボリュームを最大で鳴らし、緊急事態を知らせる。警報音は何かのキーが押されるか、音声が受信されるまで鳴り続ける。
【００１０】
発呼側の携帯無線機は、事故の情報、助けを求める等の音声送信も可能となる。プレスが押されると、緊急音声データを送信する。相手局は緊急音声データが正常に受信された場合、“ＨＥＬＰ”および相手局番号が表示され、無条件に音声を開く。
【００１１】
発呼側の携帯無線機は、緊急事態を周りの人には知らせないための機能であるため、すべての受信音声を閉じる。受信音声を聞きたい場合は、手動でモニタキーを押すことで受信音声が開くことが可能となる。
（機能３：自局に警報音を鳴らし、相手局にも警報音を鳴らす機能）
本発明の機能３における実用動作フローを図３により説明する。
【００１２】
緊急事態発生時、自局の携帯無線機に警報音を鳴らし、相手局にも緊急を知らせる場合に使用する。この機能は緊急事態発生時、緊急用スイッチを押すことで自局の携帯無線機に警報音のボリュームを最大にし鳴らす。音を最大にすることで、周りに緊急事態が発生したことを知らせる。警報音は再度、緊急用スイッチが押されない限り、鳴り続ける。
【００１３】
発呼局は警報音を鳴らすと同時に、警報音要求データを送信する。相手局は警報音要求データが正常に受信された場合、“ＨＥＬＰ”および相手局番号が表示され、警報音を音量最大で鳴らし、緊急事態を知らせる。警報音は何かのキーが押されるか、音声が受信されるまで鳴り続ける。
【００１４】
事故の情報や、助けを求める等の音声送信も可能となる。プレスが押されると警報音を停止し、緊急音声データを送信する。相手局は緊急音声データが正常に受信された場合、“ＨＥＬＰ”および相手局番号が表示され、無条件に音声を開く。
【００１５】
プレスを離すと、停止していた警報音が再度鳴り始める。
相手局からの音声受信については、無条件に音声を開く。音声受信時は、警報音は停止させる。受信音声が無くなったとき、再度警報音を鳴らす。
【００１６】
用途によって機能１、２、３を自由に選択することが可能となる。
発呼局、着呼局を別々に機能を組み合わせることで、多くの要求を満足することができる。
【００１７】
【発明の効果】
用途に応じた３機能を付加し、それぞれの機能の組み合わせによって、多くの要求が満足でき、運用を安全に敏速にすることが可能となる。また、費用の面でも、他の接続機器を必要とせず無線機だけで運用が可能となるため、費用をかけずに済む。
【図面の簡単な説明】
【図１】本発明の実用例（自局のみ緊報音を鳴らす機能動作フロー）を示すブロック図。
【図２】本発明の実用例（自局には警報音を鳴らさず、相手局に警報音を鳴らす機能の動作フロー）を示すブロック図。
【図３】本発明の実用例（自局に警報音を鳴らし、相手局にも警報音を鳴らす機能の動作フロー）を示すブロック図。
【図１】
2004274130.tif 000003
【図２】
2004274130.tif 000004
【図３】
2004274130.tif 000005
(57)【要約】【課題】従来、家庭や事務所等のセキュリティーは、警備会社に依頼し、窓や出入り口にセンサーを取り付けるため、費用が高く取り入れにくい。【解決手段】家庭や事務所等の電話に、人の気配を察知するセンサーや温度センサーを取り付け、不法侵入や火災が発生すると、電話が自動的に警察署や消防署に電話して、予め録音していた内容が流れるようにしておく。又、緊急通報スイッチを付ければ、ボタン一つで警察署、消防署、救急車の依頼の電話ができ、予め録音していた内容が流れるようにしておけば、高齢者や言葉を喋ることの不自由な人に便利である。【選択図】        図１
2004274199.tif 000002
【特許請求の範囲】
【請求項１】
家庭や事務所等の電話に、人の気配を察知するセンサーや温度センサーを付け、不法侵入や火災の時、電話が自動的に警察署や消防署に電話して通報する。又、緊急通報スイッチを付けることで、ボタン一つで警察署や消防署、救急車の依頼の電話が出来る機能の付いたセキュリティー機能付き電話。
【発明の詳細な説明】
【０００１】
【発明が属する技術分野】
本発明は、家庭や事務所等のセキュリティー機能の付いた電話に関するものである。
【０００２】
【従来の技術】
従来、家や事務所のセキュリティーは、警備会社に依頼し、窓や出入り口にセンサー等を取り付けるため、費用が高く、取り入れにくいものである。
【０００３】
【発明が解決しようとする課題】
解決しようとする問題点は、家庭や事務所に不法侵入や火災が発生した時、誰もその場に居ない場合発見が遅れ、被害が大きくなることや、警察署や消防署へ緊急の通報時に慌てて通報が正しく出来ないことや、高齢者や言葉を喋ることの不自由な人が電話で緊急通報しにくい点である。
【０００４】
【課題を解決するための手段】
本発明は、家や事務所を留守にする時、電話に暗証番号等を使い留守にすることをセットし、留守中に不法侵入があると、電話に付いているセンサーで人の気配を察知し、数分たっても電話のセキュリティーシステムが解除されなければ自動的に警察署や、その他指定した電話に、異状を知らせる電話が掛かり、予め録音していた内容が流れるようにする。家や事務所の人が帰って来た場合は、数分以内に暗証番号等でリセットすれば、セキュリティーシステムは解除される。電話に温度センサーを付けておけば、火災で部屋の温度が異状に上がれば、電話が自動的に消防署に電話して、予め録音しておいた、住所、名前、電話番号、火災が発生したことなどを通報するようにしておく。電話からも大きな音がして火災報知器の役目もする。又、緊急通報スイッチを付け、ボタン一つで警察署や消防署、救急車の依頼など、それぞれのスイッチを押せば、自動的に電話が掛かり予め録音していた内容が流れるようにしておく。
【０００５】
【発明の実施の形態】
電話機本体よりやや高い位置で部屋全体が見渡すことの出来る所に、人の動きや温度を察知するセンサー（１）を取り付ける。火災の時など大きな音で知らせるために本体側面にスピーカー（２）を取り付ける。電話機本体の操作パネルに、ボタン一つで警察署、消防署、救急車の依頼などの電話が出来るスイッチ（３）を取り付ける。電話機を不法侵入者などに壊されたり、コードを切られたりしないように、丈夫な物にする。もし電話機が壊されそうになったり、コードが切られたら、内蔵した電池で大きな音が鳴ったり、携帯電話のように電波で警察署に通報するようにしておく。
【０００６】
【発明の効果】
本発明により、電話機にセキュリティーシステムが付いていることで気軽に防犯対策ができる。温度センサーで火災も察知でき、自動的に消防署に通報できるので留守中の火災の時でも早期に通報できる。又、火災時に電話機から大きな音が鳴るので、家庭に設置しにくかった火災報知機が設置できる。緊急通報スイッチを取り付けることで、ボタン一つで通報でき、予め録音していた内容が流れるので、高齢者や言葉を喋ることの不自由な人に便利である。
【図面の簡単な説明】
【図１】この発明の斜視図である。
【符号の説明】
１  人の気配と温度を察知するセンサー
２  スピーカー
３  緊急通報スイッチ
４  操作パネル
５  受話器
【図１】
2004274199.tif 000003